(57)【要約】【課題】簡単な構成にて、定着処理時における未記録エリアの無駄な定着化を効果的に抑制し得る光記録装置および光ヘッドを提供する。【解決手段】情報記録時、エキスパンダレンズ１０４の可動レンズは、情報記録位置に位置づけられる。情報定着時、エキスパンダレンズ１０４の可動レンズは、定着処理位置に位置づけられる。この場合、記録媒体上におけるデータ光の照射領域は、情報記録時に比べ情報定着時の方がやや大きくなる。よって、情報記録時にデータ光が照射された領域を確実に定着化することができる。また、照射領域は情報定着時の方がやや大きいだけなので、無駄に定着化される領域を小さく抑えることができる。【選択図】図３
2007122005.tif 000002
【特許請求の範囲】
【請求項１】
データ光と参照光をホログラム材料層内部で干渉させることにより情報を記録する光記録装置において、
前記ホログラム材料層に対する前記データ光の照射範囲を変更する光学素子と、
前記光学素子を駆動する駆動部と、
前記ホログラム材料層に対する前記データ光の照射領域が情報記録時よりも情報定着時の方が大きくなるよう前記駆動部を制御する制御部と、
前記情報定着時に前記ホログラム材料層に対する前記参照光の照射を中止させる手段と、
を有することを特徴とする光記録装置。
【請求項２】
請求項１において、
前記光学素子は、前記駆動部によって駆動されることにより前記データ光の拡散状態を変更させるエキスパンダレンズである、
ことを特徴とする光記録装置。
【請求項３】
請求項１において、
前記光学素子は、前記駆動部によって駆動されることにより前記データ光の拡散状態とともにコヒーレント状態を変更するディフューザである、
ことを特徴とする光記録装置。
【請求項４】
請求項１ないし３の何れか一項において、
前記制御部は、一つの記録エリアに対する情報記録が終了したことに応じて、前記ホログラム材料層に対する前記データ光の照射範囲が前記情報記録時の状態から前記情報定着時の状態に切り替えられるよう前記駆動部を制御する、
ことを特徴とする光記録装置。
【請求項５】
請求項１ないし３の何れか一項において、
前記制御部は、複数の記録エリアに対する情報記録が連続して行われた後、これら複数の記録エリアのうち最初に情報記録が行われた記録エリアに前記データ光が移動されたことに応じて、前記ホログラム材料層に対する前記データ光の照射範囲が前記情報記録時の状態から前記情報定着時の状態に切り替えられるよう前記駆動部を制御する、
ことを特徴とする光記録装置。
【請求項６】
請求項５において、
前記データ光は、前記ホログラム材料層に対する照射範囲が前記情報定着時の状態とされたまま、前記最初に情報記録が行われた記録エリアから最後にデータ記録が行われた記録エリアに向かって連続的に移動される、
ことを特徴とする光記録装置。
【請求項７】
請求項１ないし３の何れか一項において、
前記制御部は、複数の記録エリアに対する情報記録が連続して行われた後、これら複数の記録エリアのうち最後の記録エリアに対する情報記録が終了したことに応じて、前記ホログラム材料層に対する前記データ光の照射範囲が前記情報記録時の状態から前記情報定着時の状態に切り替えられるよう前記駆動部を制御する
ことを特徴とする光記録装置。
【請求項８】
請求項７において、
前記データ光は、前記ホログラム材料層に対する照射範囲が前記情報定着時の状態とされたまま、前記最後に情報記録が行われた記録エリアから最初にデータ記録が行われた記録エリアに向かって連続的に移動される、
ことを特徴とする光記録装置。
【請求項９】
請求項１ないし３の何れか一項において、
前記情報定着時に前記ホログラム材料層における前記データ光のコヒーレント状態を時間的に変化させる手段を有する、
ことを特徴とする光記録装置。
【請求項１０】
請求項９において、
前記データ光のコヒーレント状態を時間的に変化させる手段は、前記情報定着時に前記データ光をその光軸方向または該光軸に垂直な方向に反復的に変位させる手段を含む、
ことを特徴とする光記録装置。
【請求項１１】
請求項９において、
前記データ光のコヒーレント状態を時間的に変化させる手段は、前記情報定着時に前記データ光を出射する半導体レーザの駆動電流を周期的に変化させる手段を含む、
ことを特徴とする光記録装置。
【請求項１２】
請求項９において、
前記データ光のコヒーレント状態を時間的に変化させる手段は、前記情報定着時に前記データ光を出射する半導体レーザの温度を周期的に変化させる手段を含む、
ことを特徴とする光記録装置。
【請求項１３】
データ光と参照光をホログラム材料層に照射して情報を記録する光ヘッドにおいて、
前記データ光の光路中に配されるとともに前記ホログラム材料層に対する前記データ光の照射範囲を変更する光学素子と、
前記光学素子を駆動する駆動部と、
を有することを特徴とする光ヘッド。
【請求項１４】
請求項１３において、
前記光学素子は、前記駆動部によって駆動されることにより前記データ光の拡散状態を変更させるエキスパンダレンズである、
ことを特徴とする光ヘッド。
【請求項１５】
請求項１３において、
前記光学素子は、前記駆動部によって駆動されることにより前記データ光の拡散状態ととともにコヒーレント状態を変更するディフューザである、
ことを特徴とする光ヘッド。
【発明の詳細な説明】
【技術分野】
【０００１】
本発明は、データ光と参照光をホログラム材料層内部で干渉させることにより情報を記録する光記録装置およびそれに用いられる光ヘッドに関する。
【背景技術】
【０００２】
近年、新たな記録媒体としてホログラフィを利用した記録媒体が検討されている。かかる記録媒体は、データ光と参照光を内部で干渉させたときの干渉縞をホログラム材料層に定着させて情報の記録を行うものである。記録の際、データ光は、記録情報に応じて空間光変調される。かかるデータ光を参照光とともに記録媒体に照射すると、ホログラム材料層中に、記録情報に応じた干渉縞が生じる。かかる干渉縞のうち“明”の領域に、ホログラム材料層中の光重合性の高いモノマー（高屈折率）が引き寄せられる。その後、定着用の光をホログラム材料層に照射することにより、“明”の領域に引き寄せられた光重合性の高いモノマーがポリマー化し、ホログラム材料層中に干渉縞に応じた屈折率分布が定着する。これにより、記録媒体に対する情報の記録が行われる。
【０００３】
かかる記録媒体においては、ホログラム材料層に対する参照光の入射角度を変化させることによって、一つの記録エリアに複数ページの情報を重ねて記録できることが知られている（角度多重）。すなわち、参照光の入射角度毎に、異なる情報にてデータ光を空間光変調することにより、それぞれの記録情報に応じた干渉縞が、角度毎に個別に、同一の記録エリアに定着される。
【０００４】
再生時には、記録時と同一角度にて参照光をホログラム材料層に照射する。これにより、参照光にこの角度の干渉縞に応じた干渉が生じる。これを受光素子で受光することにより、この角度にて記録された記録情報が再生される。
【０００５】
なお、以下に示す特許文献１、特許文献２および特許文献３には、角度多重による光記録装置が記載されている。また、特許文献４には、データ光と参照光を照射するための光源の他に、定着用の光を照射するための専用光源を別途配した光記録装置が開示されている。
【０００６】
しかし、上記特許文献４のように定着用の専用光源を別途配する場合には、この光源の他に、この光源からの光を記録媒体に導くための光学系が別途必要となる。その結果、光学系の構成が複雑化し、また、装置全体の形状が大型化するといった問題が生じる。さらに、この場合には、専用光源からの光を定着対象の記録済みエリアに正確に位置づけるための手段が必要となる。また、記録媒体と定着用の光を相対移動させながら両者の位置を制御するための手段が別途必要となる。
【０００７】
これに対し、定着用の光として参照光を用いる方法をとることもできる。この場合、別途定着用の光源を配する必要がないため、上記のような問題は生じない。
【０００８】
しかし、この場合には、参照光がデータ光の光軸に対して斜め方向からホログラム材料層に入射されると、参照光が、記録済みエリア以外の未記録エリアにまで届いてしまい、これにより、参照光に晒された未記録エリアまでが無駄に定着化されてしまうといった問題が生じる。さらに、記録済みエリアを余すところなく確実に定着化するために、角度を振りながら参照光をホログラム材料層に入射させると、参照光に晒される未記録エリアがさらに拡大し、その結果、無駄に定着化される未記録エリアがさらに増大してしまうといった問題が生じる。
【特許文献１】特開平１０−１２４８７２号公報
【特許文献２】特開平１１−１６３７４号公報
【特許文献３】特開２０００−３３８８４６号公報
【特許文献４】特開平１１−１３３８４３号公報
【発明の開示】
【発明が解決しようとする課題】
【０００９】
本発明は、このような問題を解消し、簡単な構成にて、定着処理時における未記録エリアの無駄な定着化を効果的に抑制し得る光記録装置および光ヘッドを提供することを課題とする。
【課題を解決するための手段】
【００１０】
本発明においては、定着用の光としてデータ光が用いられる。
【００１１】
定着処理時、データ光は、エキスパンダレンズ等の光学素子によって、ホログラム材料層に対する照射範囲が記録時に比べやや拡張される。したがって、データ光は記録済みエリアに余すところなく照射され、記録済みエリアは確実に定着化される。
【００１２】
本発明においても、ホログラム材料層に対するデータ光の照射範囲が記録時に比べやや拡張されるため、記録済みエリア以外の未記録エリアがデータ光によって定着化されることとなる。しかし、定着時にデータ光に晒される未記録領域の範囲は、上記のようにデータ光の光軸に対して斜め方向から参照光が照射される場合に比べ、著しく小さくなる。よって、本発明によれば、定着処理時に無駄に消費される未記録領域の範囲を小さく抑えることができる。
【００１３】
また、本発明によれば、定着処理用の専用の光源が配されないため、光学系の複雑化と装置本体の大型化を回避することができる。また、部品点数の増大およびコストの上昇を抑制することができる。
【００１４】
請求項１の発明は、データ光と参照光をホログラム材料層内部で干渉させることにより情報を記録する光記録装置において、前記ホログラム材料層に対する前記データ光の照射範囲を変更する光学素子と、前記光学素子を駆動する駆動部と、前記ホログラム材料層に対する前記データ光の照射領域が情報記録時よりも情報定着時の方が大きくなるよう前記駆動部を制御する制御部と、前記情報定着時に前記ホログラム材料層に対する前記参照光の照射を中止させる手段とを有することを特徴とする。
【００１５】
請求項２の発明は、請求項１に記載の光記録装置において、前記光学素子は、前記駆動部によって駆動されることにより前記データ光の拡散状態を変更させるエキスパンダレンズであることを特徴とする。
【００１６】
請求項３の発明は、請求項１に記載の光記録装置において、前記光学素子は、前記駆動部によって駆動されることにより前記データ光の拡散状態ととともにコヒーレント状態を変更するディフューザであることを特徴とする。
【００１７】
請求項４の発明は、請求項１ないし３の何れかに記載の光記録装置において、前記制御部は、一つの記録エリアに対する情報記録が終了したことに応じて、前記ホログラム材料層に対する前記データ光の照射範囲が前記情報記録時の状態から前記情報定着時の状態に切り替えられるよう前記駆動部を制御することを特徴とする。
【００１８】
請求項５の発明は、請求項１ないし３の何れかに記載の光記録装置において、前記制御部は、複数の記録エリアに対する情報記録が連続して行われた後、これら複数の記録エリアのうち最初に情報記録が行われた記録エリアに前記データ光が移動されたことに応じて、前記ホログラム材料層に対する前記データ光の照射範囲が前記情報記録時の状態から前記情報定着時の状態に切り替えられるよう前記駆動部を制御することを特徴とする。
【００１９】
請求項６の発明は、請求項５に記載の光記録装置において、前記データ光は、前記ホログラム材料層に対する照射範囲が前記情報定着時の状態とされたまま、前記最初に情報記録が行われた記録エリアから最後にデータ記録が行われた記録エリアに向かって連続的に移動されることを特徴とする。
【００２０】
請求項７の発明は、請求項１ないし３の何れかに記載の光記録装置において、前記制御部は、複数の記録エリアに対する情報記録が連続して行われた後、これら複数の記録エリアのうち最後の記録エリアに対する情報記録が終了したことに応じて、前記ホログラム材料層に対する前記データ光の照射範囲が前記情報記録時の状態から前記情報定着時の状態に切り替えられるよう前記駆動部を制御することを特徴とする。
【００２１】
請求項８の発明は、請求項７に記載の光記録装置において、前記データ光は、前記ホログラム材料層に対する照射範囲が前記情報定着時の状態とされたまま、前記最後に情報記録が行われた記録エリアから最初にデータ記録が行われた記録エリアに向かって連続的に移動されることを特徴とする。
【００２２】
請求項９の発明は、請求項１ないし３の何れかに記載の光記録装置おいて、前記情報定着時に前記ホログラム材料層における前記データ光のコヒーレント状態を時間的に変化させる手段を有することを特徴とする。
【００２３】
請求項１０の発明は、請求項９に記載の光記録装置おいて、前記データ光のコヒーレント状態を時間的に変化させる手段は、前記情報定着時に前記データ光をその光軸方向または該光軸に垂直な方向に反復的に変位させる手段を含むことを特徴とする。
【００２４】
請求項１１の発明は、請求項９に記載の光記録装置において、前記データ光のコヒーレント状態を時間的に変化させる手段は、前記情報定着時に前記データ光を出射する半導体レーザの駆動電流を周期的に変化させる手段を含むことを特徴とする。
【００２５】
請求項１２の発明は、請求項９に記載の光記録装置おいて、前記データ光のコヒーレント状態を時間的に変化させる手段は、前記情報定着時に前記データ光を出射する半導体レーザの温度を周期的に変化させる手段を含むことを特徴とする。
【００２６】
請求項１３の発明は、データ光と参照光をホログラム材料層に照射して情報を記録する光ヘッドにおいて、前記データ光の光路中に配されるとともに前記ホログラム材料層に対する前記データ光の照射範囲を変更する光学素子と、前記光学素子を駆動する駆動部とを有することを特徴とする。
【００２７】
請求項１４の発明は、請求項１３に記載の光ヘッドにおいて、前記光学素子は、前記駆動部によって駆動されることにより前記データ光の拡散状態を変更させるエキスパンダレンズであることを特徴とする。
【００２８】
請求項１５の発明は、請求項１３に記載の光ヘッドにおいて、前記光学素子は、前記駆動部によって駆動されることにより前記データ光の拡散状態ととともにコヒーレント状態を変更するディフューザであることを特徴とする。
【発明の効果】
【００２９】
本発明によれば、上述の如く、簡単な構成にて、定着処理時における未記録エリアの無駄な定着化を効果的に抑制し得る光記録装置を提供することができる。
【００３０】
ここで、請求項２または請求項１０に示すように、光学素子をエキスパンダレンズにて構成すると、光学素子および駆動部の構成を小型化および簡素化することができる。また、定着処理時の制御を簡易化することができる。
【００３１】
また、請求項３または請求項１５に示すように、光学素子をディフューザにより構成すると、空間的にインコヒーレントな状態の光にて定着処理を行うことができる。よって、記録媒体内における内面反射やホログラム材料層に対する外乱光の入射によって生じる光の干渉を抑制することができ、定着処理を円滑かつ適正に行うことができる。
【００３２】
なお、定着処理は、請求項４に示すように、一つの記録エリアに対する記録が終了する毎に行うようにすることができる。この場合、情報定着時に記録エリアに対するデータ光の位置調整を行う必要がないため、情報定着時の制御を簡素化することができる。すなわち、情報定着時には、情報記録時の状態から光学素子を駆動してホログラム材料層に対するデータ光の照射範囲を拡張するのみでよい。なお、請求項４に係る発明は、特に、角度多重によって情報を記録する際に用いて好ましいものである。
【００３３】
また、定着処理は、請求項５ないし８に示すように、複数の記録エリアに対する情報記録が連続して行われた後に行うようにすることもできる。この場合、複数の記録エリアに対して連続的に情報の記録と定着が行われるため、記録の度に定着化を行う場合に比べ、処理の迅速化を図ることができる。特に、請求項６および７に示すように、情報定着時にデータ光を最後の記録エリアから最初の記録エリアに向けて逆行させるようにすると、最後の記録エリアから即座に情報定着処理に移行することができるため、処理の迅速化を最大限に発揮させることができる。なお、請求項５ないし８に係る発明は、特に、シフト多重によって情報を記録する際に用いて好ましいものである。
【００３４】
さらに、請求項９ないし１２に示すように、情報定着時に前記ホログラム材料層における前記データ光のコヒーレント状態を時間的に変化させるようにすれば、記録媒体内部の内面反射等によって光の干渉が生じたとしても、その干渉状態を時間と共に変化させることができる。よって、かかる干渉によってホログラム材料層に不要なパターン（ノイズ）が定着されるのを抑制することができ、定着処理の適正化を図ることができる。
【００３５】
本発明の特徴は、以下に示す実施の形態の説明により更に明らかとなろう。
【００３６】
ただし、以下の実施の形態は、あくまでも、本発明を実施化する際の一つの例示であって、本発明ないし各構成要件の用語の意義は、以下の実施の形態に記載されたものに制限されるものではない。
【発明を実施するための最良の形態】
【００３７】
以下、本発明の実施の形態につき図面を参照して説明する。
【実施例１】
【００３８】
図１に、本実施例に係る光記録装置の構成例を示す。なお、同図の光記録装置は、透過型の記録媒体に対して情報を記録／再生する際に用いられるものである。
【００３９】
光記録装置は、エンコーダ１１と、空間変調器駆動回路１２と、光学ヘッド１３と、レーザ駆動回路１４と、信号増幅回路１５と、デコーダ１６と、サーボ回路１７と、ステッピングモータ１８と、コントローラ１９から構成されている。
【００４０】
エンコーダ１１は、記録データにエンコード処理を施し空間変調器駆動回路１２に送る。空間変調器駆動回路１２は、エンコード処理された記録データから光学ヘッド内の空間光変調器（後述）を駆動するための記録信号を生成し、生成した記録信号に応じて、光学ヘッド１３内の空間光変調器を駆動する。光学ヘッド１３は、データ光と参照光を記録媒体（ディスク）１０に照射する。なお、光学ヘッド１３は、送り駆動機構（図示せず）によって、記録媒体１０の径方向に移動可能に支持されている。
【００４１】
レーザ駆動回路１４は、コントローラ１９からの制御指令に応じて、光学ヘッド１３内の半導体レーザ（後述）を駆動する。信号増幅回路１５は、光学ヘッド１３内の撮像素子（後述）から出力される電気信号（再生信号）を増幅し、これをデコーダ１６とコントローラ１９に送る。デコーダ１６は、信号増幅回路１５から入力された再生信号をデコードして再生データを生成し、これを後段回路に出力する。
【００４２】
サーボ回路１７は、コントローラ１９からの制御指令に応じて、記録媒体１０を周方向にステップ送りするためのサーボ信号を生成し、これをステッピングモータ１８に出力する。また、コントローラ１９からの制御指令に応じて、光ヘッド１３を記録媒体１０の径方向にステップ送りするためのサーボ信号を生成し、これを光学ヘッド１３の送り機構に送る。さらに、コントローラ１９からの制御指令に応じて、光学ヘッド１３内の各部を駆動し、情報の記録、定着および再生動作を制御する。
【００４３】
ステッピングモータ１８は、サーボ回路１７からのサーボ信号に応じて、記録媒体１０を周方向にステップ送りする。コントローラ１９は、情報の記録、定着、再生動作時に、制御指令を各回路に出力する。
【００４４】
図２および図３に、光学ヘッド１３の構成を示す。なお、図３に示すレンズ制御回路１７１とモータ駆動回路１７２は、サーボ回路１７に含まれるものである。また、図３では、図２に示す参照光系の光路および光学素子が図示省略されている。
【００４５】
光学ヘッド１３は、半導体レーザ１０１と、コリメートレンズ１０２と、ビームスプリッタ１０３と、エキスパンダレンズ１０４と、シャッター１０５と、空間光変調器１０６と、ＦＴレンズ（フーリエ変換レンズ）１０７、１０８と、撮像素子１０９と、シャッター１１０と、ミラー１１１、１１２と、モータ１２０と、アクチュエータ１２１と、位置センサ１３０を備えている。
【００４６】
半導体レーザ１０１は、記録媒体に適した波長のレーザ光を出射する。コリメートレンズ１０２は、半導体レーザ１０１から入射されるレーザ光を平行光に変換する。ビームスプリッタ１０３は、コリメートレンズ１０２からのレーザ光をデータ光と参照光に分割する。
【００４７】
エキスパンダレンズ１０４は、ビームスプリッタ１０３から入射されるレーザ光（平行光）の拡散状態を変更する。エキスパンダレンズ１０４は、固定レンズと可動レンズから構成されている。このうち、可動レンズは、アクチュエータ１２１によってデータ光の光軸方向に変位される。
【００４８】
シャッター１０５は、メカニカルシャッター等によって構成され、制御信号に応じて、データ光の透過／遮断を行う。空間光変調器１０６は、液晶パネル等によって構成され、記録信号に応じて画素毎に光の透過／遮断を行い、データ光に記録信号に応じた空間光変調を与える。
【００４９】
ＦＴレンズ１０７は、空間光変調器１０６から入射されたデータ光を記録媒体１０内のホログラム材料層上に収束させる。ＦＴレンズ１０８は、ホログラム材料層によって干渉され記録媒体１０を透過した参照光を平行光に変換して撮像素子１０９に導く。撮像素子１０９は、ＣＣＤ（Charge Coupled Devise）から構成され、ＦＴレンズ１０８を介して受光した参照光の強度分布に応じた電気信号を信号増幅回路１５に出力する。
【００５０】
シャッター１１０は、メカニカルシャッター等によって構成され、制御信号に応じて、参照光の透過／遮断を行う。ミラー１１１、１１２は、参照光をホログラム材料層上のデータ光照射位置（記録エリア）に導く。このうち、ミラー１１２は、駆動手段（図示せず）によって駆動される。角度多重記録時、記録エリアに対する参照光の入射角度がミラー１１２の駆動によって調整される。
【００５１】
モータ１２０は、アクチュエータ１２１の駆動源である。アクチュエータ１２１は、モータ１２０の駆動に応じて、エキスパンダレンズ１０４の可動レンズをデータ光の光軸方向に変位させる。
【００５２】
位置センサ１３０は、エキスパンダレンズ１０４の可動レンズの位置を検出する。具体的には、可動レンズが情報記録時の位置（情報記録位置）と情報定着時の位置（定着処理位置）の何れにあるかを検出し、検出結果をレンズ制御回路１７１に出力する。
【００５３】
レンズ制御回路１７１は、コントローラ１９から入力される定着開始信号と位置センサ１３０から入力される位置検出信号を参照してモータ駆動回路１７２に駆動信号を出力する。モータ駆動回路１７２は、レンズ制御回路１７１からの信号に応じてモータ１２０を駆動する。
【００５４】
情報記録時において、シャッター１０５とシャッター１１０は、共にＯＦＦ（光透過）とされる。情報再生時において、シャッター１０５はＯＮ（光遮断）、シャッター１１０はＯＦＦ（光透過）とされる。情報定着時において、シャッター１０５はＯＦＦ（光透過）とされ、シャッター１１０はＯＮ（光遮断）とされる。また、情報再生時と情報定着時において、空間光変調器１０６はＯＦＦとされ、光変調のないデータ光が記録媒体１０内のホログラム材料層に導かれる。
【００５５】
情報記録時、半導体レーザ１０１から出射されたレーザ光は、コリメートレンズ１０２にて平行光に変換された後、ビームスプリッタ１０３によって、データ光と参照光に分割される。このうち、データ光は、エキスパンダレンズ１０４およびシャッター１０５を通過した後、空間光変調器１０６によって変調され、ＦＴレンズ１０７に入射される。そして、ＦＴレンズ１０７によって収束され、記録媒体のホログラム材料層に照射される。
【００５６】
なお、情報記録時において、エキスパンダレンズ１０４の可動レンズは、データ光を平行光のままシャッター１０５に導く位置（情報記録位置：図２に示す位置）に位置づけられている。
【００５７】
一方、ビームスプリッタ１０３によって分割された参照光は、シャッター１１０を通過した後、ミラー１１１によって反射され、さらに、ミラー１１２によって所定の角度多重記録に応じた角度にて反射される。そして、ミラー１１２によって反射された参照光は、ホログラム材料層上のデータ光照射位置（記録エリア）に導かれる。
【００５８】
このようにしてデータ光と参照光が記録エリアに導かれると、記録エリアに記録情報に応じた干渉縞が生じ、高屈折率のモノマーが干渉縞に引き寄せられる。その後、後述の定着処理が行われることにより、高屈折率のモノマーがポリマー化し、干渉縞に応じた屈折率分布がホログラム材料層保持される。
【００５９】
情報定着時、半導体レーザ１０１から出射されたレーザ光は、コリメートレンズ１０２にて平行光に変換された後、ビームスプリッタ１０３によってデータ光と参照光に分割される。このうち、参照光は、シャッター１１０によって遮断される。一方、データ光は、エキスパンダレンズ１０４を通過してシャッター１０５に導かれる。このとき、エキスパンダレンズ１０４の可動レンズは、データ光を平行光からやや拡散させる位置（定着処理位置：図３の点線にて示す位置）に位置づけられている。したがって、データ光は、平行光からやや拡散した光に変換された状態でシャッター１０５に導かれる。
【００６０】
データ光は、シャッター１０５を通過した後、空間光変調器１０６に導かれる。このとき空間光変調器１０６はＯＦＦとされており、データ光は光変調を受けることなく、空間光変調器１０６を通過する。そして、ＦＴレンズ１０７によって記録媒体１０内のホログラム材料層に収束される。
【００６１】
上記のように、情報定着時には、データ光は、エキスパンダレンズ１０４によって平行光からやや拡散した状態に変換される。このため、記録媒体１０内のホログラム材料層には、図３の点線にて示すように、情報記録時よりもやや広がった領域にデータ光が照射される。これにより、情報記録時にデータ光と参照光が照射された領域よりもやや広がった領域において高屈折モノマーがポリマー化される。よって、記録エリアが余すところなく定着化される。
【００６２】
情報再生時、半導体レーザ１０１から出射されたレーザ光は、コリメートレンズ１０２にて平行光に変換された後、ビームスプリッタ１０３によってデータ光と参照光に分割される。このうち、データ光は、シャッター１０５によって遮断される。一方、参照光は、シャッター１１０を通過した後、ミラー１１１、１１２を介して、記録媒体のホログラム材料層（記録エリア）に照射される。
【００６３】
しかる後、参照光は、ホログラム材料層に定着されている干渉縞によって干渉され、記録媒体１０を透過する。そして、ＦＴレンズ１０８を介して撮像素子１０９上に導かれる。
【００６４】
撮像素子１０９は、受光した反射光の強度分布に応じた電気信号を信号増幅１５回路に出力する。ここで、撮像素子１０９によって受光される光の強度分布は、記録時に空間光変調器１０６によってデータ光に付与された空間光変調に応じたものとなっている。しかして、撮像素子１０９から出力される電気信号が信号増幅回路１５およびデコーダ１６によって処理され、当該記録エリア（ページ）の再生が行われる。
【００６５】
図４は、角度多重にて情報が記録される場合の情報記録処理および情報定着処理の流れを示すフローチャートである。
【００６６】
記録動作が開始されると、まず、光学ヘッド１３が記録エリアに移動される（Ｓ１０１）。そして、空間光変調器１０６に記録情報に応じた画素表示が行われた後（Ｓ１０２）、データ光と参照光が記録媒体１０に照射される（Ｓ１０３）。このとき、記録エリアに対する参照光の入射角度は、当該ページの記録に応じた角度とされている。
【００６７】
データ光と参照光の照射によって１ページ分のデータが記録されると、次に、この記録エリアへの記録動作が終了したかが判別される（Ｓ１０５）。ここで、この記録エリアへの記録動作が終了していなければ、Ｓ１０２に戻り、次のページに対する記録が行われる。このとき、記録エリアに対する参照光の入射角度は、次のページの記録に応じた角度に設定される。
【００６８】
Ｓ１０２からＳ１０４の動作は、当該記録エリアに対する記録動作が全て終了するまで繰り返し行われる。そして、当該記録エリアに対する記録動作が全て終了すると（Ｓ１０５：ＹＥＳ）、エキスパンダレンズ１０４の可動レンズが定着処理位置に移動された後（Ｓ１０６）、データ光のみが記録媒体１０に照射される（Ｓ１０７）。これにより、上述の如く、当該記録エリアに対する定着処理が行われる（Ｓ１０８）。
【００６９】
しかる後、エキスパンダレンズ１０４の可動レンズは情報記録位置に戻される。そして、記録動作が終了していなければ、Ｓ１０１に戻り、次の記録エリアに対する記録および定着処理が行われる。
【００７０】
図５は、図４における記録および定着動作を模式的に示す図である。
【００７１】
記録動作が開始されると、データ光と参照光が記録エリアに照射され、記録エリアに数ページ分の情報が角度多重にて記録される（同図（ａ）参照）。しかる後、参照光がＯＦＦとされ、情報記録時よりもやや広がりのあるデータ光が記録エリアに照射される（同図（ｂ）参照）。これにより、当該記録エリアの定着化が終了すると、光ヘッド１３が次の記録エリアに移動され、この記録エリアにデータ光と参照光が照射される（同図（ｃ）参照）。しかして、当該記録エリアに数ページ分の情報が角度多重にて記録されると、情報記録時よりもやや広がりのあるデータ光が記録エリアに照射され、当該記録エリアが定着化される（同図（ｄ）参照）。
【実施例２】
【００７２】
上記実施例１では、角度多重にて情報を記録する場合の実施例を説明したが、本実施例では、シフト多重にて情報を記録する場合の実施例について説明する。なお、光記録装置および光ヘッドの構成は、上記実施例と同様である。ただし、本実施例では、ミラー１１２は固定されており、参照光は決まった角度にて記録エリアに入射される。また、コントローラ１９における制御処理も、角度多重からシフト多重への変更に応じて変更される。
【００７３】
図６は、シフト多重にて情報が記録される場合の情報記録処理および情報定着処理の流れを示すフローチャートである。
【００７４】
記録動作が開始されると、まず、光学ヘッド１３が記録エリアに移動される（Ｓ２０１）。そして、空間光変調器１０６に記録情報に応じた画素表示が行われた後（Ｓ２０２）、データ光と参照光が記録媒体１０に照射される（Ｓ２０３）。
【００７５】
データ光と参照光の照射によって１ページ分のデータが記録されると、次に、今回の記録動作において記録すべき全てのページの記録動作が終了したかが判別される（Ｓ２０５）。ここで、記録動作が終了していなければ、Ｓ２０１に戻り、次のページに対する記録が行われる。すなわち、光学ヘッド１３が次の記録位置に移動され、この位置に次のページの記録が行われる。
【００７６】
Ｓ２０１からＳ２０４の動作は、記録すべき全てのページの記録動作が終了するまで繰り返し行われる。そして、全ページに対する記録動作が終了すると（Ｓ２０５：ＹＥＳ）、光学ヘッド１３が、今回の記録動作時において最初に記録を行った記録エリアに移動される（Ｓ２０６）。そして、エキスパンダレンズ１０４の可動レンズが定着処理位置に移動された後（Ｓ２０７）、データ光のみが記録媒体１０に照射される（Ｓ２０８）。これにより、最初の記録エリアに対する定着処理が行われる。
【００７７】
しかる後、記録媒体１０をステッピングモータ１８にてゆっくりと送りながら光学ヘッド１３から記録媒体１０に定着用のデータ光を照射し続ける。これにより、今回の記録動作時において最初に記録を行った記録エリアから最後に記録を行った記録エリアに向かって連続的に定着用のデータ光が照射され、最後の記録エリアに向かって順番に定着化が行われる（Ｓ２０９）。そして、最後の記録エリアに対する定着化が終了すると、エキスパンダレンズ１０４の可動レンズが情報記録位置に戻される（Ｓ２１０）。これにより、記録および定着動作が終了される。
【００７８】
図７は、図６における記録および定着動作を模式的に示す図である。
【００７９】
記録動作が開始されると、データ光と参照光が記録エリアに照射され、記録エリアに１ページ分の情報が記録される（同図（ａ）参照）。当該記録エリアへの記録が終了すると、記録媒体１０がステッピングモータ１８にてステップ送りされ、光ヘッド１３が次の記録位置に移動される。そして、この記録位置に対する記録が行われる（同図（ｂ）参照）。かかる記録動作は、今回の記録において記録すべき全てのページ分の記録が終了するまで実行される。
【００８０】
全ページ分の記録が終了すると、光学ヘッド１３は最初の記録エリアに移動される。そして、参照光がＯＦＦとされた状態で、情報記録時よりもやや広がりのあるデータ光が最初の記録エリアに照射される（同図（ｃ）参照）。これにより、最初の記録エリアの定着化が終了する。
【００８１】
しかる後、定着処理用のデータ光を照射した状態のまま、光ヘッド１３が最後の記録エリアに向かってゆっくりと移動される。これにより、最後の記録エリアに向かって記録エリアが順次定着化される（同図（ｄ）参照）。しかして、最後の記録エリアまで定着化がなされると、データ光がＯＦＦとされ、エキスパンダレンズ１０４の可動レンズが情報記録位置に戻される。
【実施例３】
【００８２】
本実施例は、データ光の光路中にディフューザを配し、これにより、データ光の拡散状態を変更するものである。なお、光記録装置および光ヘッドの構成は、ディフューザを配する点を除いて上記実施例１、２と同様である。また、記録および定着時の処理フローは、角度多重による処理フロー（実施例１）とシフト多重による処理フロー（実施例２）の何れをも適用することができる。
【００８３】
図８は、本実施例に係る光学ヘッド１３の構成を示すものである。なお、同図には、参照光系の光路および光学素子が図示省略されている。また、ディフューザ制御回路１７３とモータ駆動回路１７４は、サーボ回路１７に含まれるものである。
【００８４】
ディフューザ１２２は、すりガラスやホログラフィックディフューザ等によって構成されており、データ光を拡散させるとともに、コヒーレントなデータ光（レーザ光）をインコヒーレントなデータ光に変換する。
【００８５】
開閉機構１２３は、駆動源としてモータを有し、モータ駆動回路１７４によってモータが駆動されるに応じて、ディフューザ１２２をデータ光の光路に対して挿脱させる。位置センサ１２４は、ディフューザ１２２の位置を検出する。具体的には、ディフューザ１２２がデータ光の光路から外された位置（情報記録位置）とデータ光の光路中に挿入された位置（定着処理位置）の何れにあるかを検出し、ディフューザ制御回路１７３に出力する。
【００８６】
ディフューザ制御回路１７３は、コントローラ１９から入力される定着開始信号と位置センサ１２４から入力される位置検出信号を参照してモータ駆動回路１７４に駆動信号を出力する。モータ駆動回路１７４は、ディフューザ制御回路１７３からの信号に応じて開閉機構１２３内のモータを駆動する。
【００８７】
ディフューザ１２２がデータ光の光路中に挿入されていない場合、記録媒体１０内のホログラム材料層に対するデータ光の収束状態は、図８の実線に示すようになる。これに対し、ディフューザ１２２がデータ光の光路中に挿入された場合には、ディフューザ１２２によってデータ光が平行光から拡散されるため、データ光の収束状態は、図８の点線に示すようになる。
【００８８】
ディフューザ１２２は、ディフューザ制御回路１７３によって、情報記録時にはデータ光の光路中から外され、情報定着時にはデータ光の光路中に挿入されるよう制御される。これにより、情報定着時には、情報記録時よりもやや広い範囲の領域がデータ光によって照射されることとなり、記録エリアの定着化が確実に行われる。
【００８９】
加えて、本実施例においては、ディフューザ１２２によってデータ光がインコヒーレントな光に変換されるため、定着処理時に、記録媒体内の内面反射やホログラム材料層に対する外乱光の入射によって光の干渉が生じる場合にも、これを効果的に抑制することができる。よって、上記実施例１、２に比べてより適正に、記録エリアの定着化を行うことができる。
【実施例４】
【００９０】
上記実施例２では、シフト多重によって複数の記録エリアに対する記録を行った後、最初の記録位置に戻り、最初の記録エリアから最後の記録エリアに向かって順番に定着化を行うようにしたが、本実施例では、最初の記録エリアに戻らずに、最後の記録エリアから最初の記録エリアに向かって順番に記録エリアの定着化が行われる。
【００９１】
図９は、情報記録処理および情報定着処理の流れを示すフローチャートである。
【００９２】
なお、Ｓ２０１からＳ２０５の処理は、実施例２における図６の処理ステップと同様であるので、ここでは説明を省略する。また、図９の処理フローは、エキスパンダレンズ１０４によってデータ光を拡散させる場合の構成例（実施例１）を用いる場合の処理フローとなっている。ディフューザ１２２によってデータ光を拡散させる場合の構成例（実施例３）を用いる場合には、図９の処理フロー中、ステップＳ２２０の処理が、“ディフューザ１２２を定着処理位置（データ光の光路中に挿入される位置）に移動される”と変更され、さらに、ステップＳ２２３の処理が、“ディフューザ１２２が情報記録位置（データ光の光路中から外される位置）に移動される”と変更される。
【００９３】
Ｓ２０１ないしＳ２０４の処理を繰り返すことにより、今回の記録動作において記録すべき全てのページの記録が終了すると（Ｓ２０５：ＹＥＳ）、光学ヘッド１３がその位置（最後の記録エリアの位置）にホールドされたまま、エキスパンダレンズ１０４の可動レンズが定着処理位置に移動される（Ｓ２２０）。そして、データ光のみが記録媒体１０に照射され（Ｓ２２１）、最後の記録エリアに対する定着処理が行われる。
【００９４】
しかる後、記録媒体１０をステッピングモータ１８にてゆっくりと逆回転させながら光学ヘッド１３から記録媒体１０に定着用のデータ光を照射し続ける。これにより、今回の記録動作時において最後に記録を行った記録エリアから最初に記録を行った記録エリアに向かって連続的に定着用のデータ光が照射され、最初の記録エリアに向かって順番に各記録エリアが定着化される（Ｓ２２２）。そして、最初の記録エリアに対する定着化が終了すると、エキスパンダレンズ１０４の可動レンズが情報記録位置に戻される（Ｓ２２３）。これにより、記録および定着動作が終了される。
【００９５】
図１０は、図９における記録および定着動作を模式的に示す図である。
【００９６】
記録動作が開始されると、データ光と参照光が記録エリアに照射され、記録エリアに１ページ分の情報が記録される（同図（ａ）参照）。当該記録エリアへの記録が終了すると、記録媒体１０がステッピングモータ１８にてステップ送りされ、光ヘッド１３が次の記録位置に移動される。そして、この記録位置に対する記録が行われる（同図（ｂ）参照）。かかる記録動作は、今回の記録において記録すべき全てのページ分の記録が終了するまで実行される。
【００９７】
全ページ分の記録が終了すると、光学ヘッド１３が最後の記録位置にホールドされたまま、参照光がＯＦＦとされ、情報記録時よりもやや広がりのあるデータ光が最後の記録エリアに照射される（同図（ｃ）参照）。これにより、最後の記録エリアの定着化が終了する。
【００９８】
しかる後、定着処理用のデータ光を照射した状態のまま、光ヘッド１３が最初の記録エリアに向かってゆっくりと移動される。これにより、最初の記録エリアに向かって記録エリアが順次定着化される（同図（ｄ）参照）。しかして、最初の記録エリアまで定着化がなされると、データ光がＯＦＦとされ、エキスパンダレンズ１０４の可動レンズが情報記録位置に戻される。
【実施例５】
【００９９】
上記実施例３では、ディフューザ１２２によってデータ光をコヒーレントな状態からインコヒーレントな状態に変換した後、データ光をホログラム材料層に照射し、記録エリアの定着化を行うようにした。この場合、データ光は空間的にインコヒーレントな状態とされてホログラム材料層に照射される。
【０１００】
これに対し、本実施例では、データ光のコヒーレント状態を時間的に変化させつつ、データ光をホログラム材料層に照射して、情報の定着化を行う。本実施例によれば、このようにデータ光のコヒーレント状態を時間的に変化させることにより、記録媒体内部の内面反射等によって光の干渉が生じたとしても、その干渉状態が時間と共に変化するようになる。このとき、かかる干渉によって生じる干渉縞は、ホログラム材料層に固定化される前に、次の状態へと変化する。よって、本発明によれば、かかる干渉によってホログラム材料層に不要なパターン（ノイズ）が定着されるのを抑制することができ、定着処理の適正化を図ることができる。
【０１０１】
ここで、データ光のコヒーレント状態を時間的に変化させる方法として、たとえば、以下の手法を用いることができる。
【０１０２】
(1) データ光の光軸方向またはこれに垂直な方向に、データ光と記録媒体１０を相対的に反復移動（振動）させる。
【０１０３】
(2) 半導体レーザ１０１の駆動電流を周期的に変動させる。
【０１０４】
(3) 半導体レーザ１０１の温度を周期的に変動させる。
【０１０５】
このうち、(1)の方法は、たとえば、以下の方法によって実現できる。
【０１０６】
(a) エキスパンダレンズ１０４やＦＴレンズ１０７等のレンズ系を、データ光の光軸方向またはこれに垂直な方向に反復移動（振動）させる。
【０１０７】
(b) ディフューザ１２２をデータ光の光軸方向またはこれに垂直な方向に反復移動（振動）させる。
【０１０８】
(c) 記録媒体１０を回転方向と反回転方向に一定周期で微動させる。
【０１０９】
(d) 光学ヘッド１３を記録媒体１０の径方向に一定周期で反復移動（振動）させる。
【０１１０】
これら(a)〜(d)の方法において、反復移動の周期は、情報定着処理時の光量（レーザ強度）や記録媒体の感度、モノマーの残量等を考慮して設定される。なお、この周期は、通常、１０Ｈｚ程度に設定され得る。また、反復移動の距離は、内面反射等によってホログラム材料層内に光の干渉が生じたとしても、その干渉状態が、データ光の反復移動に伴って、一の状態から別異の状態へと変貌するような距離に設定される。
【０１１１】
上記(a)の方法は、図２および図３に示す構成において、たとえば、エキスパンダレンズ１０４の可動レンズを、アクチュエータ１２１によって、データ光の光軸方向に所定の周期で反復移動（振動）させることにより実現される。
【０１１２】
この他、上記(a)の方法は、ＦＴレンズ１０７をデータ光の光軸方向あるいはこれに垂直な方向に反復移動させることによっても、実現され得る。ただし、この場合には、図２および図３に示す構成に加えて、ＦＴレンズ１０７を駆動するためのアクチュエータが必要となる。このアクチュエータは、たとえば、コイルとマグネットを利用した電磁駆動タイプのアクチュエータにて構成することができる。この他、圧電素子を駆動源とするアクチュエータを用いることもできる。
【０１１３】
上記(b)の方法は、図８に示す構成において、たとえば、ディフューザ１２２を、開閉機構１２３によって、データ光の光軸に垂直な方向に所定周期で反復移動（振動）させることにより実現される。
【０１１４】
この他、上記(b)の方法は、開閉機構１２３とディフューザ１２２の間に、ディフューザ１２２をデータ光の光軸方向またはこれに垂直な方向に駆動するためのアクチュエータを配することによっても実現され得る。この場合、ディフューザ１２２は、このアクチュエータによって、データ光の光軸方向あるいはこれに垂直な方向に駆動される。このアクチュエータは、上記と同様、電磁駆動タイプのアクチュエータや、圧電素子を用いたアクチュエータにて構成することができる。
【０１１５】
上記(c)の方法は、図１の構成において、たとえば、記録媒体１０（ディスク）を、ステッピングモータ１８によって、回転方向と反回転方向に一定周期で微動させることにより実現される。
【０１１６】
上記(d)の方法は、図１の構成において、たとえば、光学ヘッド１３を、その送り機構によって、記録媒体１０（ディスク）の径方向に一定周期で反復移動させることにより実現される。
【０１１７】
なお、上記(2)に示す方法は、図１に示す構成において、レーザ駆動回路１４から半導体レーザ１０１に印加される電流を、周期的に変化させることにより実現される。上記実施例に係る記録媒体１０はホログラム材料層における波長依存性が高いため、通常、半導体レーザ１０１として、外部共振器付きの半導体レーザが用いられる。外部共振器（External cavity）付きの半導体レーザを用いて発明者が実験を行ったところ、半導体レーザの駆動電流を０．２ｍＷ程度変化させることにより、レーザ光の特性が、コヒーレント状態とインコヒーレント状態の間で変化することが確認された。よって、レーザ駆動回路１４から半導体レーザ１０１に印加される駆動電流を１０Ｈｚ程度の周期にて変動させることにより、データ光のコヒーレント状態を時間的に変化させることができる。
【０１１８】
なお、発明者の実験によれば、半導体レーザの温度（ＣＡＮが装着される筐体の温度）を０．５℃程度変化させることによっても、レーザ光の特性を、コヒーレント状態とインコヒーレント状態の間で変化させ得ることが確認された。よって、上記のように半導体レーザの駆動電流を変化させる方法に代えて、上記(3)に示す如く、半導体レーザの温度を周期的に、たとえば、１０Ｈｚ程度の周期にて変化させることにより、データ光のコヒーレント状態を時間的に変化させることもできる。この場合、半導体レーザの温度を変化させるための構成が別途必要となる。この構成として、ＣＡＮが装着される筐体に冷却用のペルチェ素子と温度センサを配し、温度センサにて検出された温度をもとにペルチェ素子を駆動制御する構成を用いることができる。なお、上述の発明者による実験も、この構成を用いて行われた。
【０１１９】
図１１は、上記(a)〜(d)の方法を適用した場合におけるデータ光の照射状態を模式的に示すものである。
【０１２０】
同図（ａ）は、レンズ系をデータ光の光軸方向に反復移動（振動）させたときの照射状態を示すものである。この場合、データ光の照射エリアは、レンズ系の反復移動に伴って、情報記録時の照射エリア（記録エリア）と、これよりもやや広がりのある照射エリアの間を光軸方向に反復的に変位する。なお、この照射状態は、たとえば、図３の構成において、エキスパンダレンズ１０４の可動レンズを、実線にて示す位置と点線にて示す位置の間を反復的に変位させることによって実現される。
【０１２１】
同図（ｂ）は、レンズ系をデータ光の光軸に垂直な方向に反復移動（振動）させたときの照射状態を示すものである。この場合、データ光は、情報記録時よりもやや幅広となるようにして記録媒体に照射される。また、データ光は、レンズ系の反復移動に伴って、データ光の光軸に垂直な方向に反復的に変位される。このとき、データ光の変位ストロークは、データ光がこの変位ストローク内において変位したとき、何れの変位位置においても、常に、情報記録時の照射エリア（記録エリア）がその照射エリア内に含まれるようにして設定される。なお、この照射状態は、たとえば、図３の構成において、エキスパンダレンズ１０４の可動レンズを点線にて示す位置に位置づけた状態にて、ＦＴレンズ１０７を、データ光の光軸に垂直な方向に反復的に変位させることによって実現される。この場合、ＦＴレンズ１０７をデータ光の光軸に垂直な方向に変位させるためのアクチュエータが配される。
【０１２２】
同図（ｃ）は、ディフューザ１２２をデータ光の光軸方向に反復移動（振動）させたときの照射状態を示すものである。この場合、データ光の照射エリアは、ディフューザ１２２の反復移動に伴って、情報記録時の照射エリア（記録エリア）と、これよりもやや広がりのある照射エリアの間を光軸方向に反復的に変位する。なお、この照射状態は、たとえば、図８の構成において、ディフューザ１２２を、同図の位置と、この位置から所定の距離だけ空間光変調器１０６側に近づいた位置の間を反復的に変位させることによって実現される。この場合、開閉機構１２３とディフューザ１２２の間に、ディフューザ１２２をデータ光の光軸方向に変位させるアクチュエータが配される。なお、同図（ｃ）の照射状態は、ディフューザ１２２を図８に示す位置に位置づけた状態にてＦＴレンズ１０７をデータ光の光軸方向に反復変位させることによっても実現できる。
【０１２３】
同図（ｄ）は、ディフューザ１２２をデータ光の光軸に垂直な方向に反復移動（振動）させたときの照射状態を示すものである。この場合、データ光は、情報記録時よりもやや幅広となるようにして記録媒体に照射される。また、データ光は、ディフューザ１２２の反復移動に伴って、データ光の光軸に垂直な方向に反復的に変位される。このとき、データ光の変位ストロークは、データ光がこの変位ストローク内において変位したとき、何れの変位位置においても、常に、情報記録時の照射エリア（記録エリア）がその照射エリア内に含まれるようにして設定される。なお、この照射状態は、たとえば、図８の構成において、ディフューザ１２２を、開閉機構１２３によって、同図の位置からデータ光の光軸に垂直な方向に反復的に変位させることによって実現される。なお、同図（ｄ）の照射状態は、ディフューザ１２２を図８に示す位置に位置づけた状態にてＦＴレンズ１０７をデータ光の光軸に垂直な方向に反復変位させることによっても実現できる。
【０１２４】
同図（ｅ）は、記録媒体１０をその回転方向と反回転方向に反復移動（振動）させたときの照射状態を示すものである。この場合、データ光は、情報記録時よりもやや幅広となるようにして記録媒体に照射される。また、データ光は、記録媒体１０の変位に伴って、データ光の光軸に垂直な方向に相対的に変位される。このとき、記録媒体１０の変位ストロークは、記録媒体１０がこの変位ストローク内において変位したとき、何れの変位位置においても、常に、情報記録時の照射エリア（記録エリア）がデータ光の照射エリア内に含まれるようにして設定される。なお、この照射状態は、たとえば、図３の構成において、エキスパンダレンズ１０４の可動レンズを点線にて示す位置に位置づけた状態にて、記録媒体１０を、反復的に回転変位させることによって実現される。あるいは、図８の構成において、ディフューザ１２２をデータ光の光路中に位置づけた状態において、記録媒体１０を、反復的に回転変位させることによって実現される。
【０１２５】
同図（ｆ）は、光学ヘッド１３を記録媒体１０の径方向に反復移動（振動）させたときの照射状態を示すものである。この場合、データ光は、情報記録時よりもやや幅広となるようにして記録媒体に照射される。また、データ光は、光学ヘッド１３の変位に伴って、データ光の光軸に垂直な方向に変位される。このとき、光学ヘッド１３の変位ストロークは、光学ヘッド１３がこの変位ストローク内において変位したとき、何れの変位位置においても、常に、情報記録時の照射エリア（記録エリア）がデータ光の照射エリア内に含まれるようにして設定される。なお、この照射状態は、たとえば、図３の構成において、エキスパンダレンズ１０４の可動レンズを点線にて示す位置に位置づけた状態にて、光学ヘッド１３を、反復的に変位させることによって実現される。あるいは、図８の構成において、ディフューザ１２２をデータ光の光路中に位置づけた状態において、光学ヘッド１３を、反復的に変位させることによって実現される。
【０１２６】
なお、上記(2)(3)の方法を適用する場合には、図５の（ｂ）に示すように、情報記録時よりもやや広がりのあるデータ光を記録エリアに照射した状態にて、半導体レーザ１０１の駆動電流または温度を周期的に変化させるようにする。この場合の照射状態は、たとえば、図３の構成において、エキスパンダレンズ１０４の可動レンズを点線にて示す位置に位置づけた状態にて、半導体レーザ１０１の駆動電流または温度を周期的に変化させることによって実現される。あるいは、図８の構成において、ディフューザ１２２をデータ光の光路中に位置づけた状態において、半導体レーザ１０１の駆動電流または温度を周期的に変化させることによって実現される。
【０１２７】
なお、上記図７および図１０に示すように複数の記録領域に対して連続的に定着処理を行う場合には、各記録領域において、図１１(a)〜(f)に示す処理が行われる。すなわち、一の記録領域においてデータ光を光軸方向またはこれに垂直な方向に反復移動（振動）させて情報の定着化を行い、これが終了すると、次の記録領域にスキップして、この記録領域においてデータ光を光軸方向またはこれに垂直な方向に反復移動（振動）させて情報の定着化を行う。この定着化処理とスキップ動作を一連の記録領域に対して順次行い、これら記録領域に対する情報の定着化を行う。
【０１２８】
同様に、半導体レーザ１０１の駆動電流または温度を周期的に変化させながら図７および図１０の処理を行う場合も、記録領域を順番にスキップしながら、各記録領域において半導体レーザ１０１の駆動電流または温度を周期的に変化させた定着処理が行われる。
【０１２９】
以上、本発明に係る実施例について説明したが、本発明は、上記実施例に限定されるものではない。
【０１３０】
例えば、上記実施例では、光学素子としてエキスパンダレンズ１０４またはディフューザ１２２を用いてホログラム材料層に対するデータ光の入射領域を変化させるようにしたが、これ以外の光学素子を用いて、データ光の入射領域を変化させるようにすることもできる。
【０１３１】
また、上記実施例では、光透過型の記録媒体に記録再生を行う光記録装置に本発明を適用した場合の実施例を示したが、本発明は、光反射型の記録媒体に記録再生を行う光記録装置にも同様に適用できる。
【０１３２】
さらに、上記実施例では、シフト多重に関する動作フローとして図６および図９のフローチャートを示したが、複数の記録エリアを連続的に定着化する処理は、角度多重によって記録された情報を定着化する際にも用いることができる。この場合、複数の記録エリアに角度多重にて情報が記録された後、最初の記録エリアから最後の記録エリアに向かって、あるいは、最後の記録エリアから最初の記録エリアに向かって連続的にデータ光が照射され、これら複数の記録エリアが纏めて定着化される。
【０１３３】
この他、本発明の実施形態は、特許請求の範囲に示された技術的思想の範囲内において、適宜、種々の変更が可能である。
【図面の簡単な説明】
【０１３４】
【図１】実施例１に係る光記録装置の構成を示す図
【図２】実施例１に係る光学ヘッドの構成を示す図
【図３】実施例１に係る光学ヘッドの構成を示す図
【図４】実施例１に係る情報記録時および情報定着時の処理フローチャート
【図５】実施例１に係る情報記録時および情報定着時の流れを模式的に示す図
【図６】実施例２に係る情報記録時および情報定着時の処理フローチャート
【図７】実施例２に係る情報記録時および情報定着時の流れを模式的に示す図
【図８】実施例３に係る光学ヘッドの構成を示す図
【図９】実施例４に係る情報記録時および情報定着時の処理フローチャート
【図１０】実施例４に係る情報記録時および情報定着時の流れを模式的に示す図
【図１１】実施例５に係る情報定着時のデータ光の照射状態を模式的に示す図
【符号の説明】
【０１３５】
１３  光学ヘッド
１７  サーボ回路
１９  コントローラ
１０４  エキスパンダレンズ
１１０  シャッター
１２０  モータ
１２１  アクチュエータ
１２２  ディフューザ
１２３  開閉機構
１２４  位置センサ
１３０  位置センサ
１７１  レンズ制御回路
１７２  モータ駆動回路
１７３  ディフューザ制御回路
１７４  モータ駆動回路
【図１】
2007122005.tif 000003
【図２】
2007122005.tif 000004
【図３】
2007122005.tif 000005
【図４】
2007122005.tif 000006
【図５】
2007122005.tif 000007
【図６】
2007122005.tif 000008
【図７】
2007122005.tif 000009
【図８】
2007122005.tif 000010
【図９】
2007122005.tif 000011
【図１０】
2007122005.tif 000012
【図１１】
2007122005.tif 000013